(57)【要約】【課題】  操作釦のマスキング処理が不要で、且つ余計な内装部品を追加することなく、操作釦の静電気対策を施すことが出来る小型電子機器を提供する。【解決手段】  本発明に係る小型電子機器は、３つのキャビネット２、３、４を互いに接合して構成した筐体１を具え、筐体１の側面には、中間キャビネット４の一部が露出している。筐体１の内部には、３つのタクトスイッチ51〜53が実装された回路基板５が配備されると共に、筐体１の表面には、ユーザ操作に応じて各タクトスイッチ51〜53を押圧する３つの操作釦61、71、72が露出し、各操作釦61、71、72には鍍金処理が施されている。中間キャビネット４には、３つの操作釦61、71、72と回路基板５との間に介在する平板部41が形成され、各操作釦61、71、72は、平板部41と前面キャビネット２の内面との間に挟持されると共に、平板部41には、各タクトスイッチ51〜53を押圧すべき各操作釦61、71、72の押圧部62、73、74が貫通する３つの小口が開設されている。【選択図】      図３
2007087794.tif 000002
【特許請求の範囲】
【請求項１】
開口を有する筐体(１)と、前記開口から露出する操作釦と、前記筐体(１)の内部に配備された回路基板(５)と、該回路基板(５)上に取り付けられて前記操作釦の操作に感応する感応部を有するスイッチとを具え、前記筐体(１)は、前面キャビネット(２)と、背面キャビネット(３)と、両キャビネット(２)(３)の間に介在する中間キャビネット(４)とを互いに接合して形成されると共に、前記操作釦の表面には鍍金処理が施されている小型電子機器において、
前記中間キャビネット(４)は、電気絶縁性材料から形成されると共に、前記操作釦の背面と回路基板(５)との間に介在する平板部(41)を有し、該平板部(41)には、前記スイッチの感応部或いは該感応部に接触する前記操作釦の作用部が貫通する小口が開設されていることを特徴とする小型電子機器。
【請求項２】
前記操作釦は、前記筐体(１)の内部へ押し込む方向のプッシュ操作が可能であり、該操作釦の背面には、前記スイッチの感応部を押圧する押圧部が該感応部に向けて突設され、該押圧部が前記中間キャビネット(４)の小口を貫通している請求項１に記載の小型電子機器。
【請求項３】
前面キャビネット(２)、背面キャビネット(３)及び中間キャビネット(４)はそれぞれ、合成樹脂製の一体成型品から構成され、中間キャビネット(４)は、前面キャビネット(２)及び背面キャビネット(３)の色とは異なる色に着色されている請求項１又は請求項２に記載の小型電子機器。
【請求項４】
前記開口は、前記前面キャビネット(２)と背面キャビネット(３)の内、一方のキャビネットに開設され、前記操作釦は、該一方のキャビネットと中間キャビネット(４)の平板部(41)との間に挟持されると共に、中間キャビネット(４)の平板部(41)と操作釦の対向部、及び前記一方のキャビネットの内面と操作釦の対向部には、該操作釦を所定位置に位置決めするための位置決め構造が設けられている請求項１乃至請求項３の何れかに記載の小型電子機器。
【発明の詳細な説明】
【技術分野】
【０００１】
本発明は、ＩＣレコーダ等の小型電子機器に関するものである。
【背景技術】
【０００２】
従来のＩＣレコーダは、図７に示す如く、開口(15)を有する筐体(１)と、前記開口(15)から露出する操作釦(81)とを具え、該操作釦(81)によって、音声の記録、記録された音声の再生、記録、再生停止等の操作が可能となっている(特許文献１参照)。
前記筐体(１)の内部には、回路基板(５)が配備されており、回路基板上(５)には、操作釦(81)の背面に対向してタクトスイッチ(91)が設けられている。操作釦(81)は、筐体(１)の内部に向けて弾性変形可能な薄肉部(83)と、タクトスイッチ(91)の感応部(92)を押圧する押圧部(82)とを有し、薄肉部(83)を貫通するビス(84)により、筐体(１)の背面に締結されている。
【０００３】
操作釦(81)が押下されると、薄肉部(83)が筐体(１)の内部に向けて弾性変形し、これによって、押圧部(82)がタクトスイッチ(91)の感応部(92)をタクトスイッチ(91)本体内に押し込んでタクトスイッチ(91)がオンとなる。これに応じて、音声の記録、再生等の各種処理が実行される。
又、従来のＩＣレコーダにおいて、美観の向上を図るべく、前記操作釦(81)の表面に鍍金処理を施して、金属表面の如き光沢感を付与したものが知られている。
【特許文献１】特開２００５−２６１３３号公報  [H01 15/16]
【発明の開示】
【発明が解決しようとする課題】
【０００４】
ところで、前記操作釦(81)の表面に鍍金処理を施したＩＣレコーダにおいては、操作釦(81)の操作時に、人体に帯電した静電気が操作釦(81)の表面の鍍金層に移動し、その後、操作釦(81)のプッシュ操作に伴って操作釦(81)が回路基板(５)に接近することにより、操作釦(81)の鍍金層から回路基板(５)へ静電気が放電されることがあり、この結果、回路基板(５)の故障を招く問題があった。
そこで、上述のＩＣレコーダにおいては、操作釦(81)に鍍金処理を施す際に鍍金処理が不要な部分をマスキングすることにより、前記筐体(１)から露出する部分にのみ鍍金処理を施す方法(第１の方法)や、アースに接続された放電用の専用部材(例えば、金属性の板バネ部材等)を操作釦(81)の表面に接続する方法(第２の方法)によって、静電気対策を施していた。
【０００５】
しかしながら、前記第１の方法では、操作釦(81)にマスキング処理を施す工程が必要となるため、鍍金工程の煩雑化を招く結果となり、前記第２の方法では、放電用の専用部材が必要となるため、コストアップを招く結果となっていた。
そこで、本発明の目的は、操作釦のマスキング処理が不要で、且つ余計な部品を追加することなく、操作釦の静電気対策を施すことが出来る小型電子機器を提供することである。
【課題を解決するための手段】
【０００６】
本発明に係る小型電子機器は、開口を有する筐体(１)と、前記開口から露出する操作釦と、前記筐体(１)の内部に配備された回路基板(５)と、該回路基板(５)上に取り付けられて前記操作釦の操作に感応する感応部を有するスイッチとを具え、前記筐体(１)は、前面キャビネット(２)と、背面キャビネット(３)と、両キャビネット(２)(３)の間に介在する中間キャビネット(４)とを互いに接合して形成されると共に、前記操作釦の表面には鍍金処理が施されている。
前記中間キャビネット(４)は、電気絶縁性材料から形成されると共に、前記操作釦の背面と回路基板(５)との間に介在する平板部(41)を有し、該平板部(41)には、前記スイッチの感応部或いは該感応部に接触する前記操作釦の作用部が貫通する小口が開設されている。
【０００７】
具体的には、前記操作釦は、前記筐体(１)の内部へ押し込む方向のプッシュ操作が可能であり、該操作釦の背面には、前記スイッチの感応部を押圧する押圧部が該感応部に向けて突設され、該押圧部が前記中間キャビネット(４)の小口を貫通している。
【０００８】
上記本発明の小型電子機器において、前記スイッチの感応部及び該感応部に対向する操作釦の作用部の内、何れか一方が中間キャビネット(４)の平板部(41)に開設された小口を貫通して他方に接触している。
又、操作釦と回路基板(５)との間には、前記小口の開口領域を除く両者の対向領域全体に亘って、電気絶縁性材料から形成された中間キャビネット(４)の平板部(41)が介在しているので、前記操作釦と回路基板(５)とが直接に対向する領域の面積は、従来に比べて僅かなものとなり、これによって操作釦の表面の鍍金層から回路基板(５)への静電気の放電を抑制することが出来る。従って、操作釦の表面に鍍金を施す際のマスキング処理は不要となる。
更に、前記平板部(41)は、筐体(１)の一部を構成する必須構成部品である中間キャビネット(４)に形成されているため、従来の如く専用の部品を追加することなく、操作釦の静電気対策を施すことが出来る。
【０００９】
具体的構成において、前面キャビネット(２)、背面キャビネット(３)及び中間キャビネット(４)はそれぞれ、合成樹脂製の一体成型品から構成され、中間キャビネット(４)は、前面キャビネット(２)及び背面キャビネット(３)の色とは異なる色に着色されている。
該具体的構成によれば、２色或いは３色の外表面を有する筐体(１)を構成することが出来、これによって美観の向上を図ることが出来る。
【００１０】
又、具体的構成において、前記開口は、前記前面キャビネット(２)と背面キャビネット(３)の内、一方のキャビネットに開設され、前記操作釦は、該一方のキャビネットと中間キャビネット(４)の平板部(41)との間に挟持されると共に、中間キャビネット(４)の平板部(41)と操作釦の対向部、及び前記一方のキャビネットの内面と操作釦の対向部には、該操作釦を所定位置に位置決めするための位置決め構造が設けられている。
該具体的構成によれば、操作釦は、中間キャビネット(４)の平板部(41)と前記一方のキャビネットの内面との間に挟持されているので、操作釦をネジ等により固定していた従来に比べて、操作釦の固定のために筐体(１)内に必要となるスペースの削減を図ることが出来る。更に、操作釦は、中間キャビネット(４)の平板部(41)と前記一方のキャビネットの内面との間に挟持された状態で、前記位置決め構造によって筐体(１)内の所定の位置に位置決めされることになる。
【発明の効果】
【００１１】
本発明に係る小型電子機器によれば、操作釦のマスキング処理が不要で、且つ余計な部品を追加することなく、操作釦の静電気対策を施すことが出来る。
【発明を実施するための最良の形態】
【００１２】
以下、本発明をＩＣレコーダに実施した形態につき、図面に沿って具体的に説明する。
図１及び図２に示す如く、本発明のＩＣレコーダは、扁平な形状を有する筐体(１)と、該筐体(１)の表面に露出する３つの操作釦(61)(71)(72)とを具え、筐体(１)の内部には、液晶ディスプレイ(13)が配備されると共に、筐体(１)の先端部には、マイクロホン端子(11)及びヘッドホン端子(12)が配備されている。
３つの操作釦(61)(71)(72)はそれぞれ、筐体(１)の内部へ押し込む方向のプッシュ操作が可能となっており、第１の操作釦(61)のプッシュ操作によって音声の記録、第２の操作釦(71)のプッシュ操作によって記録された音声の再生、第３の操作釦(72)のプッシュ操作によって録音の停止或いは再生の停止がそれぞれ可能となっている。
【００１３】
筐体(１)は、前面キャビネット(２)と、背面キャビネット(３)と、両キャビネットの間に介在する中間キャビネット(４)とを互いに接合して構成される。前面キャビネット(２)、背面キャビネット(３)及び中間キャビネット(４)はそれぞれ、合成樹脂製の一体成型品から構成され、前面キャビネット(２)及び背面キャビネット(３)は同一色に着色され、中間キャビネット(４)は、前面及び背面キャビネット(２)(３)の色とは異なる色に着色されている。又、中間キャビネット(４)の外表面の一部は、筐体(１)の両側面に露出しており、これによって２トーンカラーの外表面を有する筐体(１)が構成されている。
【００１４】
図３に示す如く、背面キャビネット(３)には、電源となる電池を収容するための電池収容部(32)が凹設されており、該電池収容部(32)には、図２及び図３に示す如く、蓋部材(31)が着脱自在に取り付けられている。
図３に示す如く、前面キャビネット(２)の両側面には、切り欠き部(24)(24)が凹設されており、両切り欠き部(24)(24)から、中間キャビネット(４)の両側面が露出することになる。
【００１５】
背面キャビネット(３)と中間キャビネット(４)の間には、回路基板(５)が配備され、該回路基板(５)上には、図６に示す如く、３つのタクトスイッチ(51)(52)(53)と、液晶ディスプレイ(13)とが実装され、３つのタクトスイッチ(51)(52)(53)にはそれぞれ、感応部(51a)(52a)(53a)が設けられている。
図３に示す如く、３つのタクトスイッチ(51)(52)(53)はそれぞれ、３つの操作釦(61)(71)(72)と対向する位置に実装されており、該３つの操作釦(61)(71)(72)のプッシュ操作によって、感応部(51a)(52a)(53a)が各タクトスイッチ(51)(52)(53)本体内の一定位置まで押し入れられると、各タクトスイッチ(51)(52)(53)がプッシュ操作に感応することになる。
【００１６】
３つの操作釦(61)(71)(72)の内、第１の操作釦(61)は、第１操作部材(６)に形成されており、第２及び第３の操作釦(71)(72)は、第２操作部材(７)に形成されている。第１及び第２操作部材(６)(７)はそれぞれ、合成樹脂製の一体成型品の表面に鍍金処理を施して構成され、これによって両操作部材(６)(７)には、金属表面の如き光沢感が付与されている。
中間キャビネット(４)には、両操作部材(６)(７)と回路基板(５)との間に介在する平板部(41)が形成されており、両操作部材(６)(７)は、中間キャビネット(４)の平板部(41)と前面キャビネット(２)の内面との間に挟持された状態で固定されている。
【００１７】
図４は、本発明のＩＣレコーダから背面キャビネット(３)及び回路基板(５)を取り外した状態を示しており、図５は、図４の中間キャビネット(４)の平板部(41)周辺を拡大して示している。
【００１８】
図５に示す如く、第１操作部材(６)は、第１の操作釦(61)と、中間キャビネット(４)の平板部(41)と前面キャビネット(２)の内面との間に挟持される第１固定部(64)と、該第１固定部(64)と第１の操作釦(61)の間を繋ぐ第１連繋部(65)(65)とを具えている。第１の操作釦(61)の背面には、図６に示す第１タクトスイッチ(51)の感応部(51a)を押圧する第１押圧部(62)が突設されると共に、中間キャビネット(４)の平板部(41)には、第１押圧部(62)が貫通する第１小口(43)が開設されている。又、図３に示す如く、前面キャビネット(２)には、第１の開口(21)が開設され、該第１の開口(21)から第１の操作釦(61)が露出することになる。
第１の操作釦(61)のプッシュ操作に応じて、図５に示す第１連繋部(65)(65)が筐体(１)の内部に向けて弾性変形し、これによって第１押圧部(62)が第１タクトスイッチ(51)の感応部(51a)を押圧して、第１タクトスイッチ(51)がプッシュ操作に感応することになる。
【００１９】
図５に示す如く、第２操作部材(７)は、第２及び第３の操作釦(71)(72)と、中間キャビネット(４)の平板部(41)と前面キャビネット(２)の内面との間に挟持される第２固定部(76)と、該第２固定部(76)と第２の操作釦(71)の間を連繋する第２連繋部(77a)(77a)と、第２固定部(76)と第３の操作釦(72)の間を連繋する第３連繋部(77b)(77b)とを具えている。第２の操作釦(71)の背面には、図６に示す第２タクトスイッチ(52)の感応部(52a)を押圧する第２押圧部(74)が突設されると共に、第３の操作釦(72)の背面には、図６に示す第３タクトスイッチ(53)の感応部(53a)を押圧する第３押圧部(73)が突設されている。
【００２０】
中間キャビネット(４)の平板部(41)には、第２押圧部(74)及び第３押圧部(73)がそれぞれ貫通する第２小口(44)及び第３小口(45)が開設されると共に、図３に示す如く、前面キャビネット(２)には、第２の開口(22)及び第３の開口(23)が開設され、両開口(22)(23)から第２の操作釦(71)及び第３の操作釦(72)がそれぞれ露出することになる。
【００２１】
図５に示す如く、第２の操作釦(72)のプッシュ操作に応じて、第２連繋部(77a)(77a)が筐体(１)の内部に向けて弾性変形し、これによって第２押圧部(74)が第２タクトスイッチ(52)の感応部(52a)を押圧して、第２タクトスイッチ(52)がプッシュ操作に感応することになる。
同様に、第３の操作釦(73)のプッシュ操作に応じて、第３連繋部(77b)(77b)が筐体(１)の内部に向けて弾性変形し、これによって第３押圧部(73)が第３タクトスイッチ(53)の感応部(53a)を押圧して、第３タクトスイッチ(53)がプッシュ操作に感応することになる。
【００２２】
更に、図３に示す如く、中間キャビネット(４)の平板部(41)には、背面キャビネット(３)の電池収容部(32)の一端に向けて、電極取り付け部(42)が突設されている。該電極取り付け部(42)には、電池収容部(32)に収容された電池の一方の電極と互いに接触する電極板(図示省略)が取り付けられることになる。
【００２３】
図５に示す如く、第１操作部材(６)の第１固定部(65)には、中間キャビネット(４)の平板部(41)に向けて第１位置決めピン(63)が突設されると共に、中間キャビネット(４)の平板部(41)には、該第１位置決めピン(63)が嵌合する第１位置決め孔(46)が開設されている。
更に、図３に示す如く、第１操作部材(６)の第１固定部(65)には、前面キャビネット(２)の内面に向けて第２位置決めピン(図示省略)が突設されると共に、前面キャビネット(２)の内面には、該第２位置決めピンが嵌合する第２位置決め孔(25)が開設されている。
これにより、第１操作部材(６)は、中間キャビネット(４)の平板部(41)と前面キャビネット(２)の内面との間に挟持された状態で、筐体(１)内の所定の位置に固定されることになる。
【００２４】
又、図５に示す如く、第２操作部材(７)の第２固定部(76)には、中間キャビネット(４)の平板部(41)に向けて３本の第３位置決めピン(75)〜(75)が突設されると共に、中間キャビネット(４)の平板部(41)には、３本の第３位置決めピン(75)〜(75)がそれぞれ嵌合する３つの第３位置決め孔(47)〜(47)が開設されている。
更に、図３に示す如く、第２操作部材(７)の第１固定部(76)には、前面キャビネット(２)の内面に向けて第４位置決めピン(図示省略)が突設されると共に、前面キャビネット(２)の内面には、該第４位置決めピンが嵌合する第４位置決め孔(26)が開設されている。
これにより、第２操作部材(７)は、中間キャビネット(４)の平板部(41)と前面キャビネット(２)の内面との間に挟持された状態で、筐体(１)内の所定の位置に固定されることになる。
【００２５】
上記本発明のＩＣレコーダによれば、３つの操作釦(61)(71)(72)が形成された第１及び第２操作部材(６)(７)と回路基板(５)との間には、平板部(41)に開設された第１乃至第３小口(43)(44)(45)の開口領域を除き両操作部材(６)(７)と回路基板(５)との対向領域全体に亘って、中間キャビネット(４)の平板部(41)が介在しているので、第１及び第２操作部材(６)(７)と回路基板(５)とが直接に対向する領域の面積は、従来に比べて僅かなものとなり、これによって両操作部材(６)(７)の表面の鍍金層から回路基板(５)への静電気の放電を抑制することが出来る。従って、両操作部材(６)(７)の表面に鍍金を施す際のマスキング処理は不要となる。
【００２６】
又、平板部(41)は、筐体(１)の一部を構成する必須構成部品である中間キャビネット(４)に形成されているため、従来の如く専用の部品を追加することなく、各操作釦(61)(71)(72)の静電気対策を施すことが出来る。
更に、両操作部材(６)(７)は、中間キャビネット(４)の平板部(41)と前面キャビネット(２)の内面との間に挟持されているので、操作釦をネジ等により固定していた従来に比べて、操作釦の固定のために筐体(１)内に必要となるスペースの削減を図ることが出来る。
【図面の簡単な説明】
【００２７】
【図１】本発明に係るＩＣレコーダを表面側から見た斜視図である。
【図２】該ＩＣレコーダを背面側から見た斜視図である。
【図３】該ＩＣレコーダの分解斜視図である。
【図４】該ＩＣレコーダから背面キャビネット及び回路基板を取り外した状態を示す平面図である。
【図５】図４の要部を拡大して示す平面図である。
【図６】回路基板の平面図である。
【図７】従来のＩＣレコーダの要部を拡大して示す断面図である。
【符号の説明】
【００２８】
(１)  筐体
(２)  前面キャビネット
(３)  背面キャビネット
(４)  中間キャビネット
(41)  平板部
(43)  第１小口
(44)  第２小口
(45)  第３小口
(５)  回路基板
(51)  第１タクトスイッチ
(52)  第２タクトスイッチ
(53)  第３タクトスイッチ
(51a)〜(53a)  感応部
(６)  第１操作部材
(61)  第１の操作釦
(62)  第１押圧部
(７)  第２操作部材
(71)  第２の操作釦
(72)  第３の操作釦
(73)  第２押圧部
(74)  第３押圧部
【図１】
2007087794.tif 000003
【図２】
2007087794.tif 000004
【図３】
2007087794.tif 000005
【図４】
2007087794.tif 000006
【図５】
2007087794.tif 000007
【図６】
2007087794.tif 000008
【図７】
2007087794.tif 000009